(57)【特許請求の範囲】
【請求項１】
筒部材４の両端の開口部の何れか一方側から柱状の挿入支持部材７を挿入し、次ぎに、筒部材４の側部挿入孔５よりスライドバー兼用握りバー用軸棒部材１を挿入し、この状態で挿入支持部材７の螺子挿入用貫通孔９と軸棒部材１の螺子挿入孔１１にボルト１０を挿入して壁面２に固定し、次ぎに、筒部材４の端部開口部６に蓋部材１５を嵌めるスライドバー兼用握りバーの取付方法。
【請求項２】
請求項１において、前記軸棒部材１は筒部材により形成し、軸棒部材１には挿入部材１２を挿入し、挿入部材１２ごと軸棒部材１をボルト１０により固定するスライドバー兼用握りバーの取付方法。
【請求項３】
請求項１または請求項２において、前記挿入支持部材７の軸棒部材１側の当接面８は、軸棒部材１の外形に合わせて軸棒部材１の外周に当接させてボルト１０で固定するスライドバー兼用握りバーの取付方法。
【請求項４】
請求項３において、前記蓋部材１５の挿入部１６は軸棒部材１の外形に合わせて軸棒部材１の外周に当接させ、軸棒部材１は挿入支持部材７と蓋部材１５により挟持するようにしたスライドバー兼用握りバーの取付方法。
【請求項５】
筒形状で側部にスライドバー兼用握りバー用軸棒部材１を挿入しうる側部挿入孔５を有する筒部材４と、該筒部材４内の壁面２側に挿入され筒部材４内に挿入された軸棒部材１の外面に当接する挿入支持部材７と、軸棒部材１の反壁面２側から軸棒部材１および前記挿入支持部材７を貫通して前記壁面２に螺合するボルト１０と、筒部材４の反壁面２側の端部開口部６を閉塞する蓋部材１５とからなるスライドバー兼用握りバーの取付装置。
【請求項６】
請求項５において、前記軸棒部材１は筒部材により形成し、軸棒部材１には挿入孔１３を有する挿入部材１２を挿入し、挿入部材１２ごと軸棒部材１をボルト１０により固定したスライドバー兼用握りバーの取付装置。
【請求項７】
請求項５または請求項６において、前記蓋部材１５の挿入部１６には軸棒部材１の外形に当接する当接面当接面１７に形成し、当接面１７と挿入支持部材７の当接面８により軸棒部材１を挟持するように構成したスライドバー兼用握りバーの取付装置。
【請求項８】
請求項５または請求項６または請求項７において、前記挿入支持部材７の壁面２側には筒部材４より大なるフランジ部１８を形成したスライドバー兼用握りバーの取付装置。
【発明の詳細な説明】
【０００１】
【産業上の利用分野】
本発明は、浴室等の握りバーあるいはシャワーフックを取付けるスライドバーをも兼用する軸棒部材の取付方法および装置に関するものである。
【０００２】
【従来技術】
従来、壁面に取付けられる直線状またはＬ型状握りバーは公知であり、公知のものは、一旦、壁面に取付部材を取付け、軸棒部材に設けた取付座を取付部材に取付けることにより壁面に取付けていた。
【０００３】
【発明が解決しようとする課題】
前記公知例のスライドバー兼用握りバーの取付方法では、一旦、壁面に取付部材を取付けるので、その分、作業は面倒であり、部品点数も多く、コストも高かった。
そこで、取付方法を工夫すると、軸棒部材と取付座を同時に壁面に固定でき、作業を容易にして、部品点数を減少させ、コストも低くする。
【０００４】
【発明の目的】
取付作業の簡素化および容易化、部品点数の減少、コスト削減。
【０００５】
【課題を解決するための手段】
本発明は、筒部材４の両端の開口部の何れか一方側から柱状の挿入支持部材７を挿入し、次ぎに、筒部材４の側部挿入孔５よりスライドバー兼用握りバー用軸棒部材１を挿入し、この状態で挿入支持部材７の螺子挿入用貫通孔９と軸棒部材１の螺子挿入孔１１にボルト１０を挿入して壁面２に固定し、次ぎに、筒部材４の端部開口部６に蓋部材１５を嵌めるスライドバー兼用握りバーの取付方法としたものである。
本発明は、前記軸棒部材１は筒部材により形成し、軸棒部材１には挿入部材１２を挿入し、挿入部材１２ごと軸棒部材１をボルト１０により固定するスライドバー兼用握りバーの取付方法としたものである。
本発明は、前記挿入支持部材７の軸棒部材１側の当接面８は、軸棒部材１の外形に合わせて軸棒部材１の外周に当接させてボルト１０で固定するスライドバー兼用握りバーの取付方法としたものである。
本発明は、前記蓋部材１５の挿入部１６は軸棒部材１の外形に合わせて軸棒部材１の外周に当接させ、軸棒部材１は挿入支持部材７と蓋部材１５により挟持するようにしたスライドバー兼用握りバーの取付方法としたものである。
本発明は、筒形状で側部にスライドバー兼用握りバー用軸棒部材１を挿入しうる側部挿入孔５を有する筒部材４と、該筒部材４内の壁面２側に挿入され筒部材４内に挿入された軸棒部材１の外面に当接する挿入支持部材７と、軸棒部材１の反壁面２側から軸棒部材１および前記挿入支持部材７を貫通して前記壁面２に螺合するボルト１０と、筒部材４の反壁面２側の端部開口部６を閉塞する蓋部材１５とからなるスライドバー兼用握りバーの取付装置としたものである。
本発明は、前記軸棒部材１は筒部材により形成し、軸棒部材１には挿入孔１３を有する挿入部材１２を挿入し、挿入部材１２ごと軸棒部材１をボルト１０により固定したスライドバー兼用握りバーの取付装置としたものである。
本発明は、前記蓋部材１５の挿入部１６には軸棒部材１の外形に当接する当接面当接面１７に形成し、当接面１７と挿入支持部材７の当接面８により軸棒部材１を挟持するように構成したスライドバー兼用握りバーの取付装置としたものである。
本発明は、前記挿入支持部材７の壁面２側には筒部材４より大なるフランジ部１８を形成したスライドバー兼用握りバーの取付装置としたものである。
【０００６】
【実施例】
本発明の方法を実施しうる装置の例にて一実施例を図面により説明すると、１は金属筒または合成樹脂製の直線状の握りバーあるいはシャワーフックを取付けるスライドバー兼用する軸棒部材１であり、階段あるいは浴室等の任意の壁面２等に自由に取付けられる。
軸棒部材１の何れか一端または両端部には、軸棒部材１に対して略Ｌ型を呈する取付座３を設け、取付座３を介して前記壁面２に取付ける。４は前記取付座３の一部を構成する筒部材であり、断面が円（楕円を含む）または角（多角形を含む）形状に形成し、側面には前記軸棒部材１を挿入する側部挿入孔５を形成し、反壁面２側の端部は開口して端部開口部６を形成する。
【０００７】
前記筒部材４には、壁面２と側部挿入孔５の軸棒部材１の間に位置する挿入支持部材７を挿入する。挿入支持部材７は筒部材４の断面形状に合わせた柱形状に形成し、反壁面２側の端部には軸棒部材１の外形に合わせた当接面８を形成し、また、挿入支持部材７には軸心を貫通する螺子挿入用貫通孔９を形成し、螺子挿入用貫通孔９にはボルト１０を挿入する。
前記軸棒部材１には、軸棒部材１を筒部材４内に挿入したときに、挿入支持部材７の螺子挿入用貫通孔９に対応する位置に螺子挿入孔１１を形成する。また、軸棒部材１を筒部材により形成したときには、軸棒部材１内に挿入部材１２を挿入し、挿入部材１２には螺子挿入孔１１に対応する挿入孔１３を形成する。
【０００８】
しかして、筒部材４に挿入支持部材７を挿入し、次ぎに、軸棒部材１を筒部材４に挿入し、次ぎに、ボルト１０により軸棒部材１と筒部材４と挿入支持部材７を壁面２に固定し、この状態で、筒部材４の端部開口部６にキャップ状の蓋部材１５を嵌合させて、軸棒部材１を取付ける。
したがって、取付座３は、筒部材４と挿入支持部材７と蓋部材１５とにより構成する。
また、前記蓋部材１５の挿入部１６には軸棒部材１の外形に当接する当接面１７に形成し、当接面１７を軸棒部材１の外周に当接させる。
【０００９】
図８は、他の実施例であり、挿入支持部材７の壁面２側にフランジ部１８を形成し、筒部材４の壁面２側より挿入し、フランジ部１８を筒部材４に密着させてパッキンの作用を期待する。
また、前記挿入部材１２の端部にも位置決め用フランジ部２０を形成し、挿入部材１２を軸棒部材１に挿入すると、挿入孔１３を螺子挿入孔１１に合致するようにしている。
また、図９では、前記挿入部材１２の位置決め用フランジ部２０に係合突起２１を形成し、係合突起２１は挿入孔１３が螺子挿入孔１１に合致したとき軸棒部材１の端面に形成した係合溝２２に係合するようにし、挿入孔１３と螺子挿入孔１１に合致を容易にする。
２３は壁面２内に設けたアンカープラグあるいは補強板と呼ばれる任意の内側取付部材であり、前記ボルト１０を螺合させるためのもので壁面２の構成によって、使用しない場合もある。
なお、軸棒部材１は図において直線状のものを図示しているが、Ｌ型に屈曲させたものでもよく、形状は任意であり、実施例に限定されない。
【００１０】
【作用】
次に作用を述べる。
筒部材４の両端の開口部の何れか一方側から挿入支持部材７を挿入し、次ぎに、筒部材４の側部挿入孔５より軸棒部材１を挿入し、この状態で挿入支持部材７の螺子挿入用貫通孔９と軸棒部材１の螺子挿入孔１１にボルト１０を挿入して壁面２に固定し、次ぎに、蓋部材１５を嵌めて取付けが完了する。
したがって、取付が頗る容易となる。
即ち、従来は、壁面に一旦取付部材をボルトで取付け、この取付部材に軸棒部材に設けた取付座を取付けるので、作業が面倒であったが、挿入支持部材７と軸棒部材１とを挿入し、これにボルト１０を挿入した状態の筒部材４を壁面２に当てがい、ボルト１０を締めればよいので、取付作業は一度で済、頗る容易である。
【００１１】
この場合、軸棒部材１と挿入支持部材７と筒部材４は、ボルト１０により組み立った状態であるから、軸棒部材１を持ちながら、筒部材４を壁面２に当てがえばよく、作業は一人で簡単にできる。
しかして、ボルト１０により壁面２に固定すると、ボルト１０の締めつける力は軸棒部材１を介して筒部材４を壁面２に押し付け、また、軸棒部材１は挿入支持部材７も押し付けるから、筒部材４と挿入支持部材７の両方を破損させることなく、壁面２に取付座３を強固に固定できる。
また、軸棒部材１が筒部材により形成されているときには、軸棒部材１内に挿入部材挿入部材１２を挿入し、この状態でボルト１０を挿入して押し付けるから、挿入部材１２がボルト１０の押付け力を支持し、軸棒部材１の変形を防止する。
【００１２】
なお、挿入部材１２は軸棒部材１の内周に密着するように形成すると、荷重を強固に支持するが、若干の隙間があっても軸棒部材１の変形は許容範囲内であり、隙間があるときは挿入部材１２を移動させやすく、挿入部材１２の挿入孔１３と軸棒部材１の螺子挿入孔１１の合わせるのが容易になる。したがって、挿入部材１２は円柱形状だけでなく、角が内周に接する角形状であってもよい。
しかして、ボルト１０により軸棒部材１を固定した後に、筒部材４の端部開口部６に蓋部材１５を嵌合させるから、蓋部材１５の挿入部１６が筒部材４の内周に密着し、筒部材４の変形を防止して、取付座３の取付け強度を強固にしている。
【００１３】
また、蓋部材１５の挿入部挿入部１６には軸棒部材１の外形に当接する当接面１７に形成しているから、軸棒部材１は当接面１７と挿入支持部材７の当接面８により挟持されることになり、取付け強度を強固にするだけでなく、軸棒部材１と取付座３の間のがたの発生を減少させる。
したがって、当接面１７と筒部材４の側部挿入孔５とを、一致させると、取付け強度を強固にして、がたの発生を減少させて、好適である。
図８の実施例では、挿入支持部材７の壁面２側にフランジ部１８を形成し、筒部材４の壁面２側より挿入し、フランジ部１８を筒部材４に密着させるから、パッキンの作用を期待でき、工程を減少させて、コストを低くできる。
【００１４】
また、前記挿入部材１２の端部にも位置決め用フランジ部２０を形成しているから、挿入部材１２を軸棒部材１に挿入して位置決め用フランジ部２０を当てると、挿入孔１３が軸棒部材１の螺子挿入孔１１に合致し、組立・取付作業を頗る容易にする。
また、図９では、前記挿入部材１２の位置決め用フランジ部２０に係合突起係合突起２１を形成し、係合突起２１は挿入孔１３が螺子挿入孔１１に合致したとき軸棒部材１の端面に形成した係合溝２２に係合するようにしているから、挿入孔１３と螺子挿入孔１１との合致を容易にする。
【００１５】
【発明の効果】
本発明は、筒部材４の両端の開口部の何れか一方側から柱状の挿入支持部材７を挿入し、次ぎに、筒部材４の側部挿入孔５よりスライドバー兼用握りバー用軸棒部材１を挿入し、この状態で挿入支持部材７の螺子挿入用貫通孔９と軸棒部材１の螺子挿入孔１１にボルト１０を挿入して壁面２に固定し、次ぎに、筒部材４の端部開口部６に蓋部材１５を嵌めるスライドバー兼用握りバーの取付方法としたものであるから、筒部材４に挿入した挿入支持部材７と軸棒部材１とにボルト１０を挿入した状態で壁面２に当てがい、ボルト１０を締めればよいので、取付作業は一度で済み、頗る容易であり、軸棒部材１と挿入支持部材７と筒部材４は、ボルト１０により組み立った状態であるので、作業は一人でも簡単にできる。
本発明は、前記軸棒部材１は筒部材により形成し、軸棒部材１には挿入部材１２を挿入し、挿入部材１２ごと軸棒部材１をボルト１０により固定するスライドバー兼用握りバーの取付方法としたものであるから、軸棒部材１の形態を選ばずに取付けることができる。
本発明は、前記挿入支持部材７の軸棒部材１側の当接面８は、軸棒部材１の外形に合わせて軸棒部材１の外周に当接させてボルト１０で固定するスライドバー兼用握りバーの取付方法としたものであるから、ボルト１０の押付け力を支持でき、軸棒部材１の変形を防止して強固に取付けられる。
本発明は、前記蓋部材１５の挿入部１６は軸棒部材１の外形に合わせて軸棒部材１の外周に当接させ、軸棒部材１は挿入支持部材７と蓋部材１５により挟持するようにしたスライドバー兼用握りバーの取付方法としたものであるから、軸棒部材１の変形を防止して強固に取付けられる。
本発明は、筒形状で側部にスライドバー兼用握りバー用軸棒部材１を挿入しうる側部挿入孔５を有する筒部材４と、該筒部材４内の壁面２側に挿入され筒部材４内に挿入された軸棒部材１の外面に当接する挿入支持部材７と、軸棒部材１の反壁面２側から軸棒部材１および前記挿入支持部材７を貫通して前記壁面２に螺合するボルト１０と、筒部材４の反壁面２側の端部開口部６を閉塞する蓋部材１５とからなるスライドバー兼用握りバーの取付装置としたものであるから、壁面２に予め取付ける部材を省略して簡単な構成にでき、取付け作業を容易にして、コストを低くできる。
本発明は、前記軸棒部材１は筒部材により形成し、軸棒部材１には挿入孔１３を有する挿入部材１２を挿入し、挿入部材１２ごと軸棒部材１をボルト１０により固定したスライドバー兼用握りバーの取付装置としたものであるから、軸棒部材１を軽量構造にしつつ、取付座３の部分の強度を強くできる。
本発明は、前記蓋部材１５の挿入部１６には軸棒部材１の外形に当接する当接面当接面１７に形成し、当接面１７と挿入支持部材７の当接面８により軸棒部材１を挟持するように構成したスライドバー兼用握りバーの取付装置としたものであるから、取付強度を向上させる。
本発明は、前記挿入支持部材７の壁面２側には筒部材４より大なるフランジ部１８を形成したスライドバー兼用握りバーの取付装置としたものであるから、フランジ部１８が筒部材４に密着するので、パッキンの作用を期待でき、工程を減少させて、コストを低くできる。
【図面の簡単な説明】
【図１】    平面図。
【図２】    図１の取付座の取付け状態説明図。
【図３】    同横断平面図。
【図４】    同平面図。
【図５】    取付座の部分の正面図。
【図６】    図１の取付座の部分の側面図。
【図７】    図６の縦断面図。
【図８】    挿入順序の相違する実施例の取付座の取付け状態説明図。
【図９】    挿入部材の他の実施例の斜視図。
【図１０】  同縦断平面図。
【図１１】  同平面図。
【符号の説明】
１…軸棒部材、２…壁面、３…取付座、４…筒部材、５…側部挿入孔、６…端部開口部、７…挿入支持部材７、８…当接面、９…螺子挿入用貫通孔、１０…ボルト、１１…螺子挿入孔、１２…挿入部材、１３…挿入孔、１５…蓋部材、１６…挿入部、１７…当接面、１８…フランジ部、２０…位置決め用フランジ部、２１…係合突起、２２…係合溝。
【図１】
0004205828.tif 000002
【図２】
0004205828.tif 000003
【図３】
0004205828.tif 000004
【図４】
0004205828.tif 000005
【図５】
0004205828.tif 000006
【図６】
0004205828.tif 000007
【図７】
0004205828.tif 000008
【図８】
0004205828.tif 000009
【図９】
0004205828.tif 000010
【図１０】
0004205828.tif 000011
【図１１】
0004205828.tif 000012